(57)【要約】【課題】誤り訂正に用いられる信頼性情報の精度を向上させること。【解決手段】補間フィルタ選択部が、抽出されたパイロット信号の分散に基づいて複数の補間フィルタの中から１つの補間フィルタを選択し、スライス閾値選択部が、信頼性情報の算出に用いる算出条件を選択された補間フィルタに応じて選択し、信頼性情報生成部が、選択された補間フィルタからの出力および選択された算出条件を対比することで信頼性情報を生成する等化部を含むように受信装置を構成する。【選択図】        図２
2010063031.tif 000002
【特許請求の範囲】
【請求項１】
直交周波数分割多重信号の軟判定に用いられる信頼性情報を生成する信頼性情報生成装置であって、
抽出されたパイロット信号の分散に基づいて複数の補間フィルタの中から１つの補間フィルタを選択する補間フィルタ選択手段と、
前記信頼性情報の算出に用いる算出条件を前記補間フィルタ選択手段によって選択された前記補間フィルタに応じて選択する算出条件選択手段と、
前記補間フィルタ選択手段によって選択された前記補間フィルタからの出力および前記算出条件選択手段によって選択された前記算出条件を対比することで前記信頼性情報を生成する信頼性情報生成手段と
を備えたことを特徴とする信頼性情報生成装置。
【請求項２】
前記算出条件選択手段は、
推定されたマルチパス遅延時間に基づいて前記算出条件を選択することを特徴とする請求項１に記載の信頼性情報生成装置。
【請求項３】
前記算出条件選択手段によって選択される前記算出条件は、
ゲインを複数の区間に区切るスライス閾値の組み合わせであることを特徴とする請求項１または２に記載の信頼性情報生成装置。
【請求項４】
各アンテナ系統を示すブランチごとに設けられた前記信頼性情報生成手段によってそれぞれ生成された前記信頼性情報を所定の合成比率に基づいて合成する合成手段
をさらに備えたことを特徴とする請求項１、２または３に記載の信頼性情報生成装置。
【請求項５】
直交周波数分割多重信号の伝送路応答の歪みを補正する等化処理において生成した信頼性情報に基づいて前記直交周波数分割多重信号の誤り訂正を行う受信装置であって、
抽出されたパイロット信号の分散に基づいて複数の補間フィルタの中から１つの補間フィルタを選択する補間フィルタ選択手段と、
前記信頼性情報の算出に用いる算出条件を前記補間フィルタ選択手段によって選択された前記補間フィルタに応じて選択する算出条件選択手段と、
前記補間フィルタ選択手段によって選択された前記補間フィルタからの出力および前記算出条件選択手段によって選択された前記算出条件を対比することで前記信頼性情報を生成する信頼性情報生成手段と、
前記信頼性情報生成手段によって生成された前記信頼性情報に基づいて前記誤り訂正を行う誤り訂正手段と
を備えたことを特徴とする受信装置。
【請求項６】
前記誤り訂正手段は、
前記信頼性情報生成手段によって生成された前記信頼性情報をビタビ軟判定重み付け係数の一つとして用いることを特徴とする請求項５に記載の受信装置。
【請求項７】
直交周波数分割多重信号の軟判定に用いられる信頼性情報を生成する信頼性情報生成方法であって、
抽出されたパイロット信号の分散に基づいて複数の補間フィルタの中から１つの補間フィルタを選択する補間フィルタ選択工程と、
前記信頼性情報の算出に用いる算出条件を前記補間フィルタ選択工程によって選択された前記補間フィルタに応じて選択する算出条件選択工程と、
前記補間フィルタ選択工程によって選択された前記補間フィルタからの出力および前記算出条件選択工程によって選択された前記算出条件を対比することで前記信頼性情報を生成する信頼性情報生成工程と
を含んだことを特徴とする信頼性情報生成方法。
【発明の詳細な説明】
【技術分野】
【０００１】
この発明は、直交周波数分割多重信号の軟判定に用いられる信頼性情報を生成する信頼性情報生成装置および信頼性情報生成方法、直交周波数分割多重信号の歪みを補正する等化処理において生成した信頼性情報に基づいて直交周波数分割多重信号の誤り訂正を行う受信装置に関し、特に、軟判定に用いられる信頼性情報の精度を向上させることができる信頼性情報生成装置、信頼性情報生成方法および受信装置に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ところで、上記した車載用ＤＴＶ受信機の場合、車両の速度や向き、車両周辺の環境に応じて受信環境が絶えず変化するので、このような移動環境においても放送波を安定して受信することが求められている。このため、受信信号の歪みを補正する等化回路（等化部）や、受信信号の誤り訂正を行う誤り訂正回路（誤り訂正部）が用いられる。
【０００４】
具体的には、等化部は、伝送路の伝達特性を推定し（伝送路推定）、推定した伝達特性に基づく受信信号の補正を行う。ここで、受信信号の補正においては、あらかじめ用意された複数の補間フィルタを受信状況に応じて切り替える手法が一般的に用いられている。
【０００５】
また、等化部で補正された受信信号は誤り訂正部へ出力され、この誤り訂正部で受信信号の誤りが訂正される。ここで、誤り訂正には、ビタビ復号（Viterbi  decoding）と呼ばれる誤り訂正復号方式が広く用いられている。ビタビ軟判定復号を行う場合には、信頼性情報などのビタビ軟判定重み付け情報の精度が重要となる。これは、信頼性情報の精度が低いと、復号精度も悪化してしまうためである。
【０００６】
たとえば、従来では、等化部で推定された伝送路応答のゲイン（利得）を、静的なスライス閾値を用いて複数の区間に区切り、周波数ごとのゲインがどの区間に属するかで、信頼性情報が決定されており、決定された信頼性情報を用いてビタビ軟判定復号が行われていた。
【０００７】
なお、特許文献１には、ビタビ軟判定復号による復号データと、復号前データとを比較することで、上記した信頼性情報を補正する技術が開示されている。
【０００８】
【特許文献１】特開２００５−１６７６９９号公報
【発明の開示】
【発明が解決しようとする課題】
【０００９】
しかしながら、特許文献１の技術は、ビタビ軟判定復号による復号結果をフィードバックする必要があるため、回路が複雑化するという問題がある。また、静的なスライス閾値を用いて信頼性情報を決定する手法では、精度が異なる補間フィルタが用いられた場合であっても、同一のスライス閾値が用いられることになり、信頼性情報自体の精度が低いという問題がある。このため、信頼性情報に基づく復号精度も低いものとなってしまっていた。
【００１０】
これらのことから、誤り訂正における軟判定で用いられる信頼性情報の精度を向上させ、これによって、誤り訂正精度を高めることができる受信装置あるいは信頼性情報生成装置をいかにして実現するかが大きな課題となっている。
【００１１】
この発明は、上述した従来技術による問題点を解消するためになされたものであり、軟判定に用いられる信頼性情報の精度を向上させ、これによって、誤り訂正精度を高めることができる受信装置、高精度な信頼性情報を生成することができる信頼性情報生成装置、信頼性情報生成方法および受信装置を提供することを目的とする。
【課題を解決するための手段】
【００１２】
上述した課題を解決し、目的を達成するため、本発明は、直交周波数分割多重信号の軟判定に用いられる信頼性情報を生成する信頼性情報生成装置であって、抽出されたパイロット信号の分散に基づいて複数の補間フィルタの中から１つの補間フィルタを選択する補間フィルタ選択手段と、前記信頼性情報の算出に用いる算出条件を前記補間フィルタ選択手段によって選択された前記補間フィルタに応じて選択する算出条件選択手段と、前記補間フィルタ選択手段によって選択された前記補間フィルタからの出力および前記算出条件選択手段によって選択された前記算出条件を対比することで前記信頼性情報を生成する信頼性情報生成手段とを備えたことを特徴とする。
【００１３】
また、本発明は、直交周波数分割多重信号の歪みを補正する等化処理において生成した信頼性情報に基づいて前記直交周波数分割多重信号の誤り訂正を行う受信装置であって、抽出されたパイロット信号の分散に基づいて複数の補間フィルタの中から１つの補間フィルタを選択する補間フィルタ選択手段と、前記信頼性情報の算出に用いる算出条件を前記補間フィルタ選択手段によって選択された前記補間フィルタに応じて選択する算出条件選択手段と、前記補間フィルタ選択手段によって選択された前記補間フィルタからの出力および前記算出条件選択手段によって選択された前記算出条件を対比することで前記信頼性情報を生成する信頼性情報生成手段と、前記信頼性情報生成手段によって生成された前記信頼性情報に基づいて前記誤り訂正を行う誤り訂正手段とを備えたことを特徴とする。
【００１４】
また、本発明は、直交周波数分割多重信号の軟判定に用いられる信頼性情報を生成する信頼性情報生成方法であって、抽出されたパイロット信号の分散に基づいて複数の補間フィルタの中から１つの補間フィルタを選択する補間フィルタ選択工程と、前記信頼性情報の算出に用いる算出条件を前記補間フィルタ選択工程によって選択された前記補間フィルタに応じて選択する算出条件選択工程と、前記補間フィルタ選択工程によって選択された前記補間フィルタからの出力および前記算出条件選択工程によって選択された前記算出条件を対比することで前記信頼性情報を生成する信頼性情報生成工程とを含んだことを特徴とする。
【発明の効果】
【００１５】
本発明によれば、抽出されたパイロット信号の分散に基づいて複数の補間フィルタの中から１つの補間フィルタを選択し、信頼性情報の算出に用いる算出条件を選択された補間フィルタに応じて選択し、選択された補間フィルタからの出力および選択された算出条件を対比することで信頼性情報を生成することとしたので、補間フィルタの伝送路推定精度に応じて算出条件を切り替えることで、信頼性情報の生成精度を向上させることができるという効果を奏する。これによって、たとえば、信頼性情報を用いた誤り訂正精度を向上させることができる。
【発明を実施するための最良の形態】
【００１６】
以下に添付図面を参照して、この発明に係る信頼性情報生成装置および信頼性情報生成方法の好適な実施例を詳細に説明する。なお、以下では、本発明に係る信頼性情報生成手法の概要を説明した後に、本発明に係る信頼性情報生成手法を適用した受信装置についての実施例を説明することとする。
【００１７】
まず、本発明に係る信頼性情報生成手法の概要について図１を用いて説明する。図１は、本発明に係る信頼性情報生成手法の概要を示す図である。なお、同図の（Ａ）には、従来技術に係る信頼性情報生成手法について、同図の（Ｂ）には、本発明に係る信頼性情報生成手法について、それぞれ示している。
【００１８】
同図の（Ａ）に示すように、従来は、信頼性情報を算出する際に、伝送路推定の精度が良い補間フィルタＡが用いられている場合にも、伝送路推定の精度が悪い補間フィルタＢが用いられている場合にも、共通の信頼性情報算出条件が用いられていた。ここで、信頼性情報算出条件とは、推定した伝送路応答のゲインを複数の区間に区切るスライス閾値の組のことを指す。また、信頼性情報とは、たとえば、２ビットの符号であらわされる０〜３の値であり、値が大きいほど信頼性が高いことをあらわす。
【００１９】
すなわち、従来は、伝送路推定用フィルタの切替が行われたならば（同図の（Ａ−１）参照）、各フィルタ共通の算出条件（信頼性情報算出条件）を用いて信頼性情報を生成していた（同図の（Ａ−２）参照）。そして、生成された信頼性情報に基づく誤り訂正を行っていた（同図の（Ａ−３）参照）。
【００２０】
しかし、伝送路推定制度が悪い補間フィルタＢが用いられている場合に、伝送路推定制度が良い補間フィルタＡと同一の算出条件（信頼性情報算出条件）を用いて信頼性情報を算出しても、信頼性情報の精度は確保されない。むしろ、生成された信頼性情報は、後段の誤り訂正処理における誤り訂正精度を悪化させてしまっていた。
【００２１】
そこで、本発明に係る信頼性情報生成手法では、各補間フィルタに応じて信頼性情報算出条件を切り替えることとした。具体的には、同図の（Ｂ）に示すように、伝送路推定の精度が良い補間フィルタＡが用いられている場合には信頼性情報算出条件Ａを、伝送路推定の精度が悪い補間フィルタＢが用いられている場合には信頼性情報算出条件Ｂを、それぞれ切り替えて用いることとした。
【００２２】
具体的には、伝送路推定用フィルタの切替が行われたならば（同図の（Ｂ−１）参照）、各フィルタに対応する算出条件（信頼性情報算出条件）へ切り替えたうえで信頼性情報を生成する（同図の（Ｂ−２）参照）。そして、生成された信頼性情報に基づく誤り訂正を行うこととした（同図の（Ｂ−３）参照）。
【００２３】
このように、伝送路推定用フィルタの伝送路推定精度に応じて信頼性情報算出条件を切り替えることで、より適切な信頼性情報を生成することが可能となる。また、生成された信頼性情報を用いる誤り訂正処理における誤り訂正精度を向上させることができる。以下では、本発明に係る信頼性情報生成手法を適用した受信装置についての実施例を説明する。
【実施例】
【００２４】
図２は、本実施例に係る受信装置１０の構成を示すブロック図である。同図に示すように、受信装置１０は、アンテナ１に接続されるＲＦ（Radio  Frequency）／ＩＦ（Intermediate  Frequency）部１１と、Ａ（Analog）／Ｄ（Digital）変換部１２と、ＡＧＣ（Auto  Gain  Control）部１３と、同期部１４と、ＦＦＴ（Fast  Fourier  Transform）部１５と、等化部１６と、誤り訂正部１７とを備えている。
【００２５】
また、等化部１６は、データシンボル複素除算部１６ａと、ＳＰ（Scattered  Pilot）抽出部１６ｂと、ＳＰ（Scattered  Pilot）シンボル方向分散値取得部１６ｃと、補間フィルタ選択部１６ｄと、マルチパス遅延時間取得部１６ｅと、スライス閾値選択部１６ｆと、補間フィルタ１６ｇと、信頼性情報生成部１６ｈとをさらに備えている。
【００２６】
ＲＦ／ＩＦ部１１は、アンテナ１からの信号を検波・増幅する処理部であり、検波・増幅後の信号をＡ／Ｄ変換部１２へ出力する。また、Ａ／Ｄ変換部１２は、ＲＦ／ＩＦ部１１からのアナログ信号をデジタル信号へ変換して出力する。
【００２７】
ＡＧＣ部１３は、自動利得調整を行う処理部であり、入力された信号の強弱に応じて出力信号が一定になるように調整し、出力信号をＡ／Ｄ変換部１２へフィードバックする。また、同期部１４は、ＦＦＴウィンドウのタイミング決定を行う処理部である。
【００２８】
ＦＦＴ部１５は、搬送波に重畳されたデータをＦＦＴ（Fast  Fourier  Transform；高速フーリエ変換）によって取得し、取得したデータを等化部１６へ出力する処理を行う。また、等化部１６は、伝送路の伝達特性を推定し（伝送路推定）、推定した伝達特性に基づく受信信号の補正を行うとともに、誤り訂正部１７における誤り訂正処理において用いられる信頼性情報を生成する処理を行う処理部である。以下では、この等化部１６の構成についてさらに詳細に説明する。
【００２９】
データシンボル複素除算部１６ａは、ＦＦＴ部１５から受け取ったデータを、補間フィルタ１６ｇから受け取った補間信号で補正する処理を行う処理部である。このデータシンボル複素除算部１６ａによって、ゲインおよび周波数の２軸であらわしたデータは、周波数変化に対してゲイン変化が０に近づくように補正される。
【００３０】
ＳＰ（Scattered  Pilot）抽出部１６ｂは、ＦＦＴ部１５から受け取った信号から、送信側および受信側の双方で既知の信号であるＳＰ（Scattered  Pilot）信号を抽出する処理を行う処理部である。なお、抽出されたＳＰ信号は、伝送路を推定する際の振幅位相基準として用いられる。
【００３１】
ＳＰシンボル方向分散値取得部１６ｃは、シンボル方向およびキャリア方向に展開された受信データについて、受信データに含まれるＳＰ信号のシンボル方向における分散値を取得する処理を行う処理部である。なお、このＳＰシンボル方向分散値取得部１６ｃによって取得された分散値は、補間フィルタ選択部１６ｄにおける補間フィルタ選択の選択条件として用いられる。
【００３２】
補間フィルタ選択部１６ｄは、ＳＰシンボル方向分散値取得部１６ｃから受け取った分散値に基づき、４シンボル補間フィルタおよび毎シンボル補間フィルタの２つの補間フィルタの中から、補間フィルタ１６ｇに設定（セット）する補間フィルタを選択する処理を行う処理部である。
【００３３】
具体的には、伝送路応答の時間変動が緩やかな場合（たとえば、移動速度が遅い場合）には、ＳＰシンボル方向分散値取得部１６ｃによって取得された分散値が小さな値をとるので（シンボル方向に相関あり）、補間フィルタ選択部１６ｄは、キャリア方向のみならずシンボル方向についても補間を行う４シンボル補間フィルタを選択する。
【００３４】
一方、伝送路応答の時間変動が激しい場合（たとえば、移動速度が速い場合）には、ＳＰシンボル方向分散値取得部１６ｃによって取得された分散値が大きな値をとるので（シンボル方向に相関なし）、補間フィルタ選択部１６ｄは、キャリア方向についてのみ補間を行う毎シンボル補間フィルタを選択する。なお、補間フィルタ選択部１６ｄは、選択した補間フィルタの種別をスライス閾値選択部１６ｆへ通知する処理を併せて行う。
【００３５】
ここで、４シンボル補間フィルタによって行われる４シンボル補間処理および毎シンボル補間フィルタによって行われる毎シンボル補間処理について、図３〜図５を用いて説明しておく。
【００３６】
図３は、４シンボル補間処理の概要を示す図である。なお、同図に示す「黒丸」はＳＰ信号を示しており、「白丸」はデータ信号を示している。また、同図に示す各データは、シンボル方向（同図における縦軸）およびキャリア方向（同図における横軸）に展開されているものとする。
【００３７】
同図の（１）に示すように、シンボル方向についてみた場合、ＳＰ信号は、４シンボルごとにあらわれる。ここで、同図の３１に示すＳＰ信号と、同図の３２に示すＳＰ信号で挟まれるデータ信号（同図の３３参照）は、ＳＰ信号３１およびＳＰ信号３２を用いた補間処理の対象となる。
【００３８】
シンボル方向補間によって補正されたデータ信号を同図の（２）に「四角」で示す。たとえば、ＳＰ信号３１およびＳＰ信号３２で挟まれた２つのデータ信号３３（同図の（１）参照）は、シンボル方向補間によって補正されることで、擬似的なＳＰ信号として用いることが可能な疑似ＳＰ信号となる（同図の３４参照）。同様に、キャリア方向について４シンボルごとにシンボル方向補間処理が行われ（同図の「シンボル方向補間」参照）、同図の（２）に示したように、すべての疑似ＳＰ信号が生成される。
【００３９】
そして、同図の（３）に示すように、キャリア方向補間を行う際には、ＳＰ信号が４シンボルごとに存在するとみなせるので、各ＳＰ信号（擬似ＳＰ信号を含む）に挟まれる２つのデータ信号が、各ＳＰ信号を用いて補正されていくことになる（同図の「キャリア方向補間」参照）。このように、４シンボル補間フィルタでは、シンボル方向補間によってＳＰ信号を擬似的に増加させることができるので、補正精度が高いといえる。
【００４０】
図４は、毎シンボル補間処理の概要を示す図である。なお、同図に示す「黒丸」がＳＰ信号を示しており、「白丸」がデータ信号を示している点は、図３と同様である。同図に示すように、毎シンボル補間処理では、シンボル方向補間処理が行われず、キャリア方向補間処理のみが行われるので（同図の「キャリア方向補間」参照）、たとえば、ＳＰ信号４１と、ＳＰ信号４２で挟まれた１１個のデータ信号４３が、キャリア方向補間処理の対象となる。このように、毎シンボル補間フィルタでは、キャリア方向補間のみが行われるので、補正精度が低いといえる。
【００４１】
図５は、４シンボル補間フィルタおよび毎シンボル補間フィルタによる伝送路推定精度を示す図である。なお、同図の（１）には、理想的な伝送路応答の周波数ごとのゲイン変化をあらわす理想伝送路応答５１を示している。また、同図の（２）には、４シンボル補間フィルタによる伝送路推定結果（同図の（２）の実線参照）を、同図の（３）には、毎シンボル補間フィルタによる伝送路推定結果（同図の（３）の実線参照）を、それぞれ示している。
【００４２】
なお、同図の（２）および（３）に示した「黒丸」はＳＰ信号を、同図の（２）に示した「白丸」は擬似ＳＰ信号を（図３の（２）あるいは（３）の「四角」に対応）、それぞれ示している。
【００４３】
同図の（３）をみると、毎シンボル補間フィルタによって推定された伝送路応答は、理想伝送路応答５１から大きく乖離している。そして、同図の（２）と（３）とを比較すれば明らかなように、４シンボル補間フィルタの伝送路推定精度は、毎シンボル補間フィルタの伝送路推定精度に比べて良好である。
【００４４】
図２の説明に戻り、マルチパス遅延時間取得部１６ｅについて説明する。マルチパス遅延時間取得部１６ｅは、建物や地形などの影響によって放送波が反射したり回折したりすることで複数の経路から同一の電波を受信するマルチパス（multipath）が発生した場合における、直接波／遅延波間の遅れ時間を示すマルチパス遅延時間を取得する処理を行う処理部である。
【００４５】
なお、マルチパス遅延時間は、たとえば、送信信号に挿入されたガード・インターバルの遅れ時間に基づいて算出することができる。また、本実施例では、マルチパス遅延時間に基づいてスライス閾値を変更する場合について示したが、車両速度が変化することによって発生するドップラーシフトの量に基づいてスライス閾値を変更することとしてもよい。また、マルチパス以外のフェージング（fading）に対して本発明を適用することとしてもよい。
【００４６】
スライス閾値選択部１６ｆは、補間フィルタ選択部１６ｄから受け取った補間フィルタの種別（４シンボル補間フィルタを選択した旨または毎シンボル補間フィルタを選択した旨）およびマルチパス遅延時間取得部１６ｅから受け取った遅延時間に基づいてスライス閾値を選択する処理を行う処理部である。なお、このスライス閾値選択部１６ｆは、ＳＰシンボル方向分散値取得部１６ｃから受け取ったシンボル方向の分散値に基づいてスライス閾値を変更することも可能である。
【００４７】
ここで、スライス閾値選択部１６ｆが行うスライス閾値選択処理について図６〜図８を用いて説明しておく。図６は、従来技術に係るスライス閾値の例を示す図である。なお、図６の（１）に示したのは、４シンボル補間フィルタによる伝送路推定結果（図５の（２）に対応）であり、図６の（２）に示したのは、毎シンボル補間フィルタによる伝送路推定結果（図５の（３）に対応）である。
【００４８】
同図に示すように、従来は、異なる補間フィルタが用いられた場合であっても、同一のスライス閾値の組が用いられていた。すなわち、同図に示すスライス閾値６１ａ（同図の（１）参照）およびスライス閾値６２ａ（同図の（２）参照）は同一であり、同様に６１ｂおよび６２ｂは同一であり、６１ｃおよび６２ｃも同一であった。
【００４９】
そして、伝送路推定結果におけるゲインが各スライス閾値で区切られた区間のいずれの区間に属するかで、信頼性情報が生成されていた。たとえば、信頼性情報が、０〜３の４段階の数値であらわされる場合、スライス閾値６１ａ以上であれば信頼性情報は「３」、スライス閾値６１ａ未満であってスライス閾値６１ｂ以上であれば信頼性情報は「２」、スライス閾値６１ｂ未満であってスライス閾値６１ｃ以上であれば信頼性情報は「１」、スライス閾値６１ｃ未満であれば信頼性情報は「０」というように、信頼性情報が生成されていた。
【００５０】
ここで、同図の（１）と（２）とを比較すれば明らかなように、同図の（２）に示した毎シンボル補間フィルタによる伝送路推定結果は、精度が低いものである。しかし、従来は、低精度な伝送路推定結果に用いるスライス閾値の組（６２ａ、６２ｂおよび６２ｃ）と、高精度な伝送路推定結果に用いるスライス閾値の組（６１ａ、６１ｂおよび６１ｃ）とを同一のものとしていたため、信頼性情報自体の精度が低いものとなっていた。
【００５１】
図７は、スライス閾値選択部１６ｆによって選択されるスライス閾値の例を示す図である。なお、同図の（１）に示したのは、４シンボル補間フィルタに用いられるスライス閾値の組であり、同図の（２）に示したのは、毎シンボル補間フィルタに用いられるスライス閾値の組である。
【００５２】
同図に示すように、スライス閾値選択部１６ｆは、４シンボル補間フィルタが補間フィルタ選択部１６ｄによって選択された場合と、毎シンボル補間フィルタが補間フィルタ選択部１６ｄによって選択された場合とで、異なるスライス閾値の組を選択する。
【００５３】
たとえば、同図の（１）に示したように、４シンボル補間フィルタが選択された場合には、７１ａ、７１ｂおよび７１ｃからなるスライス閾値の組を選択する。一方、毎シンボル補間フィルタが選択された場合には、同図の（１）の場合よりも間隔が狭い７２ａ、７２ｂおよび７２ｃからなるスライス閾値の組を選択する。なお、各スライス閾値の組を、ゲイン方向における正方向または負方向にずらすことも可能である。
【００５４】
このように、スライス閾値の組を切り替えることで、特に、伝送路推定結果の精度が低い場合に、信頼性情報（０〜３の値）を全体的に高めに判定してしまったり、全体的に低めに判定してしまったりすることを防止することができる。すなわち、伝送路推定結果の精度が低い場合であっても、生成される信頼性情報の値をより妥当なものとすることができる。
【００５５】
図８は、マルチパス遅延時間に伴うスライス閾値の変更を示す図である。なお、同図の（１Ａ）は図７の（１）に、同図の（２Ａ）は図７の（２）に、それぞれ対応している。また、同図の（１Ｂ）は同図の（１Ａ）よりもマルチパス遅延時間が大きい場合を、同図の（２Ｂ）は同図の（２Ａ）よりもマルチパス遅延時間が大きい場合を、それぞれ示している。
【００５６】
同図の（１Ｂ）に示したように、マルチパス遅延時間が大きい場合には、４シンボル補間処理を行った場合であっても、伝送路推定結果の精度は悪化する。このため、スライス閾値選択部１６ｆは、同図の（１Ａ）の場合よりも間隔が狭い８１ａ、８１ｂおよび８１ｃからなるスライス閾値の組を選択する。なお、各スライス閾値のゲイン方向の位置を同図の（１Ａ）の場合よりもゲインが小さい向きへそれぞれ移動させたり、ゲインが大きい向きへそれぞれ移動させたりすることとしてもよい。
【００５７】
また、同図の（２Ｂ）に示したように、マルチパス遅延時間が大きい場合には、ただでさえ４シンボル補間処理よりも伝送路推定結果の精度が悪い毎シンボル補間処理は、さらに伝送路推定結果の精度が悪化する。このため、スライス閾値選択部１６ｆは、同図の（２Ａ）の場合よりも間隔が狭い８２ａ、８２ｂおよび８２ｃからなるスライス閾値の組を選択する。なお、各スライス閾値のゲイン方向の位置を同図の（２Ａ）の場合よりもゲインが小さい向きへそれぞれ移動させたり、ゲインが大きい向きへそれぞれ移動させたりすることとしてもよい。
【００５８】
図２の説明に戻り、補間フィルタ１６ｇについて説明する。補間フィルタ１６ｇは、補間フィルタ選択部１６ｄによって選択された補間フィルタであり、４シンボル補間フィルタまたは毎シンボル補間フィルタのいずれかである。なお、本実施例では、２つの補間フィルタを例として示したが、３つ以上の補間フィルタから１つの補間フィルタを選択することとしてもよい。
【００５９】
信頼性情報生成部１６ｈは、補間フィルタ１６ｇによってフィルタリングされたデータをスライス閾値選択部１６ｆで選択されたスライス閾値で区切ることによって、たとえば、０、１、２または３の値をとる信頼性情報を生成する処理を行う処理部である（図７参照）。また、この信頼性情報生成部１６ｈは、生成した信頼性情報を誤り訂正部１７へ向けて出力する処理を併せて行う。
【００６０】
誤り訂正部１７は、等化部１６の信頼性情報生成部１６ｈが生成した信頼性情報を受け取り、受け取った信頼性情報を、ビタビ軟判定重み付け情報の１つとして使用することで誤り訂正を行う処理部である。なお、ビタビ軟判定重み付け情報は、硬判定結果（ビタビ硬判定結果）、軟判定結果（ビタビ軟判定結果）および信頼性情報から構成される情報である。ここで、誤り訂正部１７が前段の処理部から受け取るビタビ軟判定重み付け情報は信頼性情報のみである。したがって、信頼性情報の精度がビタビ軟判定の精度を大きく左右する。
【００６１】
次に、図２に示した受信装置１０の変形例について図９を用いて説明する。図９は、変形例に係る受信装置１０ａの構成を示すブロック図である。なお、同図に示したのは、複数のアンテナ１にそれぞれ対応するブランチを有する場合に、各等化部１６が生成した信頼性情報を最大比合成部１８で合成する受信装置１０ａである。
【００６２】
また、同図では、各ブランチに該当するアンテナ１をアンテナ１−１、ＲＦ／ＩＦ部１１をＲＦ／ＩＦ部１１−１のように、枝番付きの符号であらわしている。また、同図では、図２に示したＡＧＣ部１３の記載を省略している。
【００６３】
同図に示すように、受信装置１０ａは、アンテナ１−１と、ＲＦ／ＩＦ部１１−１と、Ａ／Ｄ変換部１２−１と、同期部１４−１と、ＦＦＴ部１５−１と、等化部１６−１とからなる第１のブランチを備えており、以下、同様に第２のブランチ、第３のブランチおよび第４のブランチを備えている。
【００６４】
各等化部１６（等化部１６−１〜等化部１６−４）は、生成した信頼性情報を最大比合成部１８へ出力する。最大比合成部１８は、各ブランチからの受信信号を最大比合成する処理を行う処理部である。具体的には、各ブランチの等化部１６（等化部１６−１〜等化部１６−４）が生成した信頼性情報を受け取り、受け取った信頼性情報を最大比合成する。そして、最大比合成の結果として１つの信頼性情報を生成し、生成した信頼性情報を誤り訂正部１７へ出力する。
【００６５】
なお、最大比合成部１８は、各ブランチのゲインの大小に基づいて信頼性情報を合成することとしてもよいし、ゲインが大きい方から所定数のブランチを選択したうえで、選択されたブランチに係る信頼性情報を合成することとしてもよい。さらに、最も受信状況が良いブランチに係る信頼性情報をそのまま用いることとしてもよい。なお、誤り訂正部１７は、最大比合成部１８から受け取った信頼性情報を用い、同じく最大比合成部１８から受け取った各ブランチ経由の受信データについて誤り訂正を行う。
【００６６】
次に、本実施例に係る受信装置１０（図２参照）が実行する処理手順について図１０を用いて説明する。図１０は、本実施例に係る受信装置１０が実行する処理手順を示すフローチャートである。同図に示すように、ＦＦＴ部１５がＦＦＴ処理を行い（ステップＳ１０１）、ＳＰ抽出部１６ｂがＳＰ信号を抽出したならば（ステップＳ１０２）、ＳＰシンボル方向分散値取得部１６ｃは、シンボル方向の分散（分散値）を算出する（ステップＳ１０３）。
【００６７】
そして、補間フィルタ選択部１６ｄは、ＳＰシンボル方向分散値取得部１６ｃが取得した分散値に基づき、適切な補間フィルタへ切り替える処理を行う（ステップＳ１０４）。つづいて、スライス閾値選択部１６ｆは、信頼性情報生成用のスライス閾値を切り替える処理を行う（ステップＳ１０５）。
【００６８】
つづいて、補間フィルタ１６ｇを用いたフィルタ処理が実行される（ステップＳ１０６）。そして、フィルタ処理の結果は、図示しないＩＦＦＴ部（Inverse  Fast  Fourier  Transform；逆高速フーリエ変換）に対して出力され、ＩＦＦＴ処理が実行される（ステップＳ１０７）。そして、マルチパス遅延時間取得部１６ｅが、マルチパス遅延時間を算出する（ステップＳ１０８）。
【００６９】
また、補間フィルタ１６ｇによるフィルタ処理の結果は、信頼性情報生成部１６ｈに対しても出力され、この信頼性情報生成部１６ｈが信頼性情報を生成する（ステップＳ１０９）。なお、ステップＳ１０９では、ＦＦＴ処理（ステップＳ１０１）の出力を用いたデータシンボルの複素除算処理がデータシンボル複素除算部１６ａによって行われる。
【００７０】
そして、誤り訂正部１７は、ステップＳ１０９において生成された信頼性情報等に基づいて軟判定重み付け係数を生成し（ステップＳ１１０）、ステップＳ１１０において生成された軟判定重み付け係数に基づいて誤り訂正を実行し（ステップＳ１１１）、処理を終了する。
【００７１】
なお、図１０では、選択された補間フィルタに応じて信頼性情報生成用スライス閾値を切り替える場合について示したが（図１０のステップＳ１０５）、さらに、マルチパス遅延時間およびシンボル方向分散値に基づいて信頼性情報生成用スライス閾値を切り替えることとしてもよい。
【００７２】
図１１は、パイロット信号の分散値およびマルチパス遅延時間を用いてスライス閾値を決定する場合の処理手順を示すフローチャートである。同図に示すように、ステップＳ２０５は、シンボル方向分散算出（ステップＳ２０３）による処理結果およびマルチパス遅延時間算出（ステップＳ２０８）による処理結果を入力データとして受け取る点で、図１０に示したステップＳ１０５とは異なる。なお、その他の手順については、図１０と同様であるので説明を省略する。
【００７３】
上述してきたように、本実施例では、補間フィルタ選択部が、抽出されたパイロット信号の分散に基づいて複数の補間フィルタの中から１つの補間フィルタを選択し、スライス閾値選択部が、信頼性情報の算出に用いる算出条件を選択された補間フィルタに応じて選択し、信頼性情報生成部が、選択された補間フィルタからの出力および選択された算出条件を対比することで信頼性情報を生成する等化部を含んだ受信装置を構成した。
【００７４】
したがって、補間フィルタの伝送路推定精度に応じて算出条件を切り替えることで、信頼性情報の生成精度を向上させることができる。また、信頼性情報の精度を向上させることで誤り訂正精度を向上させることができるため、受信精度を向上させることができる。
【産業上の利用可能性】
【００７５】
以上のように、本発明に係る信頼性情報生成装置、信頼性情報生成方法および受信装置は、誤り訂正の精度を向上させたい場合に有用であり、特に、自動車などのように受信状況が変化しやすい環境においても受信状態を安定させたい場合に適している。
【図面の簡単な説明】
【００７６】
【図１】本発明に係る信頼性情報生成手法の概要を示す図である。
【図２】本実施例に係る受信装置の構成を示すブロック図である。
【図３】４シンボル補間処理の概要を示す図である。
【図４】毎シンボル補間処理の概要を示す図である。
【図５】４シンボル補間フィルタおよび毎シンボル補間フィルタによる伝送路推定精度を示す図である。
【図６】従来技術に係るスライス閾値の例を示す図である。
【図７】スライス閾値選択部によって選択されるスライス閾値の例を示す図である。
【図８】マルチパス遅延時間に伴うスライス閾値の変更を示す図である。
【図９】変形例に係る受信装置の構成を示すブロック図である。
【図１０】本実施例に係る受信装置が実行する処理手順を示すフローチャートである。
【図１１】パイロット信号の分散値およびマルチパス遅延時間を用いてスライス閾値を決定する場合の処理手順を示すフローチャートである。
【符号の説明】
【００７７】
１    アンテナ
１０、１０ａ  受信装置
１１    ＲＦ／ＩＦ部
１２    Ａ／Ｄ変換部
１３    ＡＧＣ部
１４    同期部
１５    ＦＦＴ部
１６    等化部
１６ａ  データシンボル複素除算部
１６ｂ  ＳＰ抽出部
１６ｃ  ＳＰシンボル方向分散値取得部
１６ｄ  補間フィルタ選択部
１６ｅ  マルチパス遅延時間取得部
１６ｆ  スライス閾値選択部
１６ｇ  補間フィルタ
１６ｈ  信頼性情報生成部
１７  誤り訂正部
１８  最大比合成部
【図１】
2010063031.tif 000003
【図２】
2010063031.tif 000004
【図３】
2010063031.tif 000005
【図４】
2010063031.tif 000006
【図５】
2010063031.tif 000007
【図６】
2010063031.tif 000008
【図７】
2010063031.tif 000009
【図８】
2010063031.tif 000010
【図９】
2010063031.tif 000011
【図１０】
2010063031.tif 000012
【図１１】
2010063031.tif 000013